(57)【要約】【課題】マスク本体に接続する麻酔ガスの供給管路が邪魔にならないように工夫すると共に、手の平を使ってマスク本体の中央部を押さえる操作を可能にし、マスク本体を口部及び鼻付近の顔面上に均一に密着させる操作を容易にすること。【解決手段】患者の口部及び鼻付近を覆うように装着されるマスク本体１と、麻酔ガスや酸素等の気体を供給する管路が接続される気体導入口２と、を備える。マスク本体１はドーム状に形成され、その頂部に半球状の隆起部４が設けられ、気体導入口２は、マスク本体１から突出する筒状部５に形成され、記筒状部５は、マスク本体１の装着状態で、患者の側方に向いて延びていることを特徴とする。【選択図】図１
2014113238.tif 000002
【特許請求の範囲】
【請求項１】
患者の口部及び鼻付近を覆うように装着されるマスク本体と、
麻酔ガスや酸素等の気体を供給する管路が接続される気体導入口と、を備え、
前記マスク本体はドーム状に形成され、その頂部に半球状の隆起部が設けられ、
前記気体導入口は、前記マスク本体から突出する筒状部に形成され、
前記筒状部は、マスク本体の装着状態で、患者の側方に向いて延びていることを特徴とする、麻酔用マスク。
【請求項２】
前記半球状の隆起部がマスク本体の中央部に設けられていることを特徴とする、請求項１に記載の麻酔用マスク。
【請求項３】
前記マスク本体は、その装着時に口部及び鼻の周辺部を囲むように顔面に密着する環状のパッド部を備えていることを特徴とする、請求項１又は２に記載の麻酔用マスク。
【請求項４】
前記筒状部は、患者が仰向けに寝た姿勢でのマスク本体の装着状態で、患者の右側方向きでかつ頭部寄りの位置に設けられていることを特徴とする、請求項１〜３の何れかに記載の麻酔用マスク。
【請求項５】
前記筒状部は、前記隆起部と前記パッド部との間の周壁部分から横方向へ突出していることを特徴とする、請求項３又は４に記載の麻酔用マスク。
【請求項６】
前記隆起部及び筒状部を含むマスク本体が透明樹脂により形成されていることを特徴とする、請求項１〜５の何れかに記載の麻酔用マスク。
【請求項７】
前記環状のパッド部が、空気を送り込むことで環状に膨らむ膨張性カフにより形成されていることを特徴とする、請求項１〜６の何れかに記載の麻酔用マスク。
【請求項８】
前記環状のパッド部が、柔軟性のある材料で形成されていることを特徴とする、請求項１〜６の何れかに記載の麻酔用マスク。
【請求項９】
前記環状のパッド部が袋状に形成され、その内部に柔軟性のある材料が収容されていることを特徴とする、請求項１〜６の何れかに記載の麻酔用マスク。
【発明の詳細な説明】
【技術分野】
【０００１】
本発明は、麻酔科、呼吸器科、外科、あるいは緊急医療などにおいて、麻酔ガスを供給する際に使用して好適な麻酔用マスクに関する。
【背景技術】
【０００２】
近年における全身麻酔では、麻酔ガス導入口を備えた麻酔用マスクを用いて行うことが多い。この麻酔用マスクとしては、従来から種々の構造のものが提案されている。
【０００３】
図５及び図６には、従来の一般的な麻酔用マスクが例示されている。この麻酔用マスクは、透明樹脂製のマスク本体１と、マスク本体１の中央部に設けられた麻酔ガス導入口２と、マスク本体１の周縁部に設けられた環状カフからなるパッド部3と、を備えている。麻酔ガス導入口２には麻酔ガスや酸素等の気体を供給する供給管路Ｃが接続される。
【０００４】
特許文献１には、患者の口部及び鼻付近を覆い、かつ麻酔ガス導入口を有する略カップ形状のマスク本体と、マスク本体の周縁部に気密に取り付けられ、使用時に患者の口部及び鼻の周辺部分を囲むようにして顔面に密着する軟質パッド部４と、を備え、更に、麻酔ガス導入口とは別に、気管内チューブを挿通させるチューブ挿入口を設けた麻酔用マスクの技術が開示されている。
【０００５】
特許文献２には、麻酔装置との間で麻酔ガスを流通する麻酔ガス管路が接続される麻酔ガス導入部が形成され、口部を覆うことが可能とされたマスク本体と、鼻の穴を閉塞する鼻穴被覆部材と、を備えた麻酔用マスクの技術が開示されている。
【先行技術文献】
【特許文献】
【０００６】
【特許文献１】特開２０００−２６２６２１号公報
【特許文献２】特開２００９−１４２３３０号公報
【発明の概要】
【発明が解決しようとする課題】
【０００７】
このような麻酔用マスクでは、緊急医療等においても多用されることから、使用に便利で、操作性が良いことが要求される。
しかし、従来の麻酔用マスクでは、以下のような問題が生じていた。
カップ状のマスク本体１の中央部に麻酔ガス導入口２が設けられているため、そこから麻酔ガスの供給管路が延びて患者の顔面上にも位置する形態となる。このため、医療行為を行う際に患者の顔面上に存在する供給管路が邪魔になることが多い。また、図６に示すように、麻酔ガス導入口２は、マスク本体の中央部上面から上方に突出する筒状部５に設けているため、その分、マスク本体１の高さが必然的に高くなる問題もある。
【０００８】
また、マスク本体１の中央部に麻酔ガス導入口２を設けているため、マスク本体周縁部のパッド部３を口部及び鼻付近の顔面上に密着させる際に、例えば手の平を使ってマスク本体の中央部を押さえる操作ができないという問題がある。その結果、パッド部３を顔面上に均一に密着させるのに、片手の指全体を使用したり、両手を使用する操作となったりして、操作性や使い勝手が悪い。
【０００９】
よって、本発明は、マスク本体に接続する麻酔ガスの供給管路が邪魔にならないように工夫すると共に、手の平を使ってマスク本体の中央部を押さえる操作を可能にし、これによりマスク本体を口部及び鼻付近の顔面上に均一に密着させる操作を容易にすることができる麻酔用マスクを提供することを課題とする。
【課題を解決するための手段】
【００１０】
前記課題を解決する本発明は、患者の口部及び鼻付近を覆うように装着されるマスク本体と、麻酔ガスや酸素等の気体を供給する管路が接続される気体導入口とを備え、マスク本体はドーム状に形成され、その頂部に半球状の隆起部が設けられ、気体導入口はマスク本体から突出する筒状部の先端に形成され、筒状部はマスク本体の装着状態で、患者の側方に向いて延びていることを特徴とする。
【００１１】
本発明によれば、マスク本体をドーム状に形成し、その頂部に半球状の隆起部を設け、気体導入口をマスク本体から突出する筒状部の先端に形成し、筒状部はマスク本体の装着状態で、患者の側方に向いて延びている構成としたので、使用に便利で操作性が良い麻酔用マスクとすることができる。
【００１２】
即ち、筒状部を側方に向けることで、マスク本体に接続する麻酔ガスの供給管路が邪魔にならないように工夫すると共に、マスク本体の頂部に半球状の隆起部を設けることで、手の平を使ってマスク本体の頂部を押さえる操作を可能にし、これによりマスク本体を口部及び鼻付近の顔面上に均一に密着させる操作を容易にすることができる。
【００１３】
本発明の好ましい形態では、前記半球状の隆起部がマスク本体の中央部に設けられていることを特徴とする。
このように、半球状の隆起部をマスク本体の中央部に設けることで、この隆起部を押し付けたときにマスク本体に伝達される力を全体としてより均一にすることができる。
【００１４】
本発明の好ましい形態では、前記マスク本体は、その装着時に口部及び鼻の周辺部を囲むように顔面に密着する柔軟な環状のパッド部を備えていることを特徴とする。
このようにマスク本体が柔軟な環状のパッド部を備えていることで、マスク本体を、口部及び鼻の周辺部を囲むように顔面に気密状態で密着させることができる。
【００１５】
本発明の好ましい形態では、前記筒状部を、患者が仰向けに寝た姿勢でのマスク本体の装着状態で、患者の右側方向きでかつ頭部寄りの位置に設けていることを特徴とする。
このようにすることで、患者の右側方に位置して医療行為を行う通常形態の場合でも、麻酔ガスの供給管路が邪魔にならないようにして、操作性や作業性を良くすることができる。
【００１６】
本発明の好ましい形態では、前記筒状部が、隆起部と環状のパッド部との間の周壁部分から横方向へ突出していることを特徴とする。
このように、筒状部を、隆起部と環状のパッド部との間の周壁部分から横方向へ突出させることで、マスク本体全体の高さを低くすることができ、この点からも操作性や作業性を良くすることできる。
【００１７】
本発明の好ましい形態では、前記隆起部及び筒状部を含むマスク本体が透明樹脂により形成されていることを特徴とする。
このように、隆起部及び筒状部を含むマスク本体を透明樹脂により形成することで、マスクを装着する際に患者の口部や鼻付近全体が良く見えるため、操作性や作業性をさらに良くすることができる。
【００１８】
本発明の好ましい形態では、前記環状のパッド部が、空気を送り込むことで環状に膨らむ膨張性カフにより形成されていることを特徴とする。
このようにパッド部を膨張性カフにより形成した場合、カフ自体に高い柔軟性を付与できるので、その分、密着性を高めることができる。
【００１９】
本発明の好ましい形態では、前記環状のパッド部が、柔軟性のある材料で形成されていることを特徴とする。
で形成することで、パッド部自体にカフのような柔軟に密着する機能を付与することができる。
【００２０】
本発明の好ましい形態では、前記環状のパッド部が袋状に形成され、その内部に柔軟性のある材料が収容されていることを特徴とする。
このように、環状のパッド部を袋状に形成し、その内部に柔軟性のある材料を収容することで、環状のパッド部自体を、気密性を必要としない製作容易な構成とすることができ、かつ、カフの機能と同様な機能を付与することができる。
【発明の効果】
【００２１】
本発明に係る麻酔用マスクは、マスク本体に接続する麻酔ガスの供給管路が邪魔にならないように工夫すると共に、手の平を使ってマスク本体の中央部を押さえる操作を可能にし、これによりマスク本体を口部及び鼻付近の顔面上に均一に密着させる操作を容易にすることができる。
【図面の簡単な説明】
【００２２】
【図１】本発明の実施形態に係る麻酔用マスクの斜視図である。
【図２】本発明の実施形態に係る麻酔用マスクの平面図である。
【図３】図２のＡ−Ａ線に沿った断面図である。
【図４】本発明の実施形態に係る麻酔用マスクの使用形態を説明する概略平面図である。
【図５】従来の麻酔用マスクの例を示す平面図である。
【図６】従来の麻酔用マスクの例を示す断面図である。
【発明を実施するための形態】
【００２３】
＜実施形態１＞
図１〜図４を参照して、本発明に係る麻酔用マスクの実施形態について説明する。
本実施形態に係る麻酔用マスクは、後述するように、下あごの周囲をリフトしつつマスクを手で押し付けるＧＬ法（Grip and Lift法）を採用するのに特に好適な例を示すものである。
【００２４】
この実施形態の麻酔用マスクは、図１〜図４に示すように、患者Ｂの口部及び鼻付近を覆うように装着されるマスク本体１と、麻酔ガスや酸素等の気体を供給する管路Ｃが接続される気体導入口２と、マスク本体１の装着時に口部及び鼻の周辺部を囲むように顔面に密着する環状カフからなるパッド部３とを備えている。
【００２５】
マスク本体１はドーム状に形成され、その頂部に半球状の隆起部４が設けられている。気体導入口２は、マスク本体１から突出する筒状部５の先端に形成されている。筒状部５は、マスク本体１の装着状態で、患者の側方に向いて延びている。
次いで、これらの詳細について説明する。
【００２６】
マスク本体１は、図３に示すように、透明樹脂によりドーム状に形成されると共に、その周縁には環状のパッド部３を取り付けるための環状のフランジ部１１が形成されている。パッド部３は、フランジ部１１の幅よりも広い厚肉部３１と、内部中空に形成されて柔軟性を付与するための薄肉部３２とを有し、厚肉部３１を介してフランジ部１１に接着により取り付けられている。
【００２７】
フランジ部１１には、パッド部３内に空気を送り込んだり、抜いたりすることで、パッド部３の柔軟性を調整するための給気チューブ接続口１２が設けられている。図２において矢印ａは、マスク本体１の装着状態で頭部方向を示している。したがって、給気チューブ接続口１２は、頭部側となるフランジ部１１部分に設けられている。
【００２８】
半球状の隆起部４は、図２及び図３に示すように、マスク本体１の中央部に設けられている。これは、隆起部４を押し付けたときにマスク本体１及び環状のパッド部３に伝達される力を全体としてより均一にするためである。これにより、例えば、中指を患者の下あご中央にかけ、５本の指でグリップするように下あご周囲をリフトしつつマスクを手で押し付けるＧＬ法（Grip and Lift法）を採用するのに極めて好適な構造とすることができる。
【００２９】
筒状部５は、図２、図４に示すように、患者が仰向けに寝た姿勢でのマスク本体１の装着状態で、患者の右側方向きでかつ頭部方向ａ寄りの位置に設けられている。換言すれば、筒状部５は、患者の鼻筋方向に対して、斜め側方に向いて延びている。これは、筒状部を斜め側方に向けることで、マスク本体１に接続する麻酔ガスの供給管路が邪魔にならないようにするためである。
【００３０】
また、筒状部５は、隆起部４とパッド部３との間の周壁部分１ａから横方向へ突出している。そして、周壁部分１ａには、マスク本体１内と筒状部５内とを連通させる開口１ｂが設けられている。なお、これらの隆起部４及び筒状部５も、マスク本体１と同様の透明樹脂により形成されている。
【００３１】
本実施形態に係る麻酔用マスクによれば、マスク本体１をドーム状に形成し、その頂部に半球状の隆起部４を設け、気体導入口２をマスク本体１から突出する筒状部５の先端に形成し、筒状部５はマスク本体１の装着状態で、患者の側方に向いて延びている構成としたので、使用に便利で操作性が良い麻酔用マスクとすることができる。
【００３２】
即ち、筒状部５を側方に向けることで、マスク本体１に接続する麻酔ガスや酸素の供給管路Ｃが医療行為者Ｍに邪魔にならないように工夫すると共に、マスク本体１の頂部に半球状の隆起部４を設けることで、手の平を使ってマスク本体１の頂部を押さえる操作を可能にし、これによりマスク本体１を口部及び鼻付近の顔面上に均一に密着させる操作を容易にすることができる。
【００３３】
したがって、例えば、中指を下あご中央にかけ、５本の指でグリップするように下あご周囲をリフトしつつマスクを手で押し付けるＧＬ法（Grip and Lift法）を採用するのに極めて好適な構造とすることができる。
【００３４】
また、半球状の隆起部４をマスク本体１の中央部に設けることで、この隆起部４を押し付けたときに環状のパッド部３に伝達される力を全体としてより均一にすることができる。
【００３５】
また、マスク本体１が柔軟なパッド部３を備えていることで、マスク本体１を、口部及び鼻の周辺部を囲むように顔面に気密状態で密着させることができる。
【００３６】
また、筒状部５を、患者が仰向けに寝た姿勢でのマスク本体１の装着状態で、患者の右側方向きでかつ頭部寄りの位置に設けていることで、患者の右側方に位置して医療行為を行う通常形態の場合でも、麻酔ガスの供給管路Ｃが邪魔にならないようにして、操作性や作業性を良くすることができる。
【００３７】
また、筒状部５を、隆起部６と環状カフ３との間の周壁部分１ａから横方向へ突出させることで、マスク本体１全体の高さを低くすることができ、この点からも操作性や作業性を良くすることできる。
【００３８】
また、隆起部４及び筒状部５を含むマスク本体１を透明樹脂により形成することで、マスクを装着する際に患者の口部や鼻付近全体が良く見えるため、操作性や作業性をさらに良くすることができる。
【００３９】
なお、以上の実施形態では、パッド部３部分を、空気を送り込むことで環状に膨らむ、内部中空な膨張性のカフにより形成した例を示したが、本発明はこれに限定されない。例えば、パッド部３部分を、膨張性のカフ内に注入する空気に代えて、スポンジや綿等の適宜の弾力性や柔軟性のある反発材を封入した構造にしても良い。
【００４０】
また、環状のパッド部１４全体を柔軟性のある材料で形成してもよい。このように環状のパッド部全体を、柔軟性のある材料で形成することで、パッド部自体にカフのような柔軟に密着する機能を付与することができる。
【図１】
2014113238.tif 000003
【図２】
2014113238.tif 000004
【図３】
2014113238.tif 000005
【図４】
2014113238.tif 000006
【図５】
2014113238.tif 000007
【図６】
2014113238.tif 000008